【事件の表示】
　特願２００４−１１６４３７「情報処理装置および方法、並びにプログラム」拒絶査定不服審判事件〔平成１７年１０月２７日出願公開、特開２００５−３０１６４７〕について、次のとおり審決する。
【結　論】
　本件審判の請求は、成り立たない。
【理　由】
１．手続の経緯
　
　本願は、平成１６年４月１２日の出願であって、平成１９年４月１２日付けで審査請求がなされ、平成２２年９月１６日付けで拒絶理由通知（同年９月２１日発送）がなされ、平成２２年１１月４日付けで意見書が提出されるとともに、手続補正がなされたが、同年１１月１７日付けで審査官により拒絶査定（同年１１月２５日謄本送達）がなされ、これに対して、平成２３年２月１０日付けで審判請求がなされたものである。
　
２．本願発明
　
　本願の特許請求の範囲の請求項５に係る発明（以下、「本願発明」という。）は、上記平成２２年１１月４日付け手続補正書により補正された明細書及び図面の記載からみて、その特許請求の範囲の請求項５に記載された以下のとおりのものと認める。
　
「複数の属性のデータが関連付けられたキーデータを表示させ、
　前記キーデータが移動されたとき、前記キーデータの移動先に基づいて、起動させるアプリケーションを識別し、
　それぞれのアプリケーションと、それぞれのアプリケーションに与えるデータの属性との対応を表す情報を管理し、管理している前記情報により表される属性のデータを取得するように、識別したアプリケーションの起動時にそのアプリケーションに与えるデータを、前記キーデータに関連付けられている複数の属性の前記データの中から取得し、
　起動した直後に表示される画面に、取得した前記データに基づく表示が予め行われるように、前記キーデータの移動先により識別される前記アプリケーションの起動を制御する
　ステップを含む情報処理方法。」
　
３．引用文献
　
　原審が拒絶理由通知において引用した特開２００１−２７３２３６号公報（平成１３年１０月５日出願公開。以下、「引用文献」という。）には、図面とともに以下の技術事項が記載されている。
　
Ａ　「【０００１】
【発明の属する技術分野】本発明は、画像を利用した電子メール端末技術または電話端末技術に関するものである。」
　
Ｂ　「【０００４】本発明は上記課題を解決するためになされたものであり、従来電子メールアドレスや電話番号を登録（メモリ）する際に、それらに対応して画像を登録し、画面上で画像を選択することで、それに対応した電子メールアドレスや電話番号を抽出して、電子メールを送信したり、電話をかけたりするようなデータ処理方法及びデータ処理装置を提供することを目的とする。」
　
Ｃ　「【００１０】
【発明の実施の形態】以下本発明の実施の形態について説明する。
（実施の形態1）まず、本発明の第１の実施の形態について説明する。図１に本発明における第１の実施の形態の構成を示す。１０１は画像データ入力部で、例えばデジタルスチルカメラやデジタルビデオカメラから画像データを取り込むものである。１０２は電子メールアドレス入力部で例えばキーボードなどであって電子メールアドレスを入力するものである。１０３はID付与部で、画像とそれに対応する電子メールアドレスを関連付けるID（識別情報）を付与するものである。１０４は第１の記憶部で、入力された画像データを記憶するものである。この画像データのサイズは個々の画像について固定長であっても構わないし、自由長であっても構わない。１０５は第１の記憶制御部で、第１の記憶部１０４への入出力制御を行うものである。１０６は第２の記憶部で、入力された画像データと電子メールアドレスを関連付けるIDと、第１の記憶部１０４でIDに対応した画像を記憶している領域の先頭アドレスと、データサイズを記憶するものである。１０７は第２の記憶制御部で、第２の記憶部１０６への入出力制御を行うものである。」
　
Ｄ　「【００１２】ステップ１１〜ステップ１６により、画像データとそれに対応する電子メールアドレスのデータベースが構成でき、いわゆる画像による電子メールアドレス帳ができる。例えば画像データには、個人の顔や身体の画像や、キャラクター画像などであってよいが、画像の内容は限定しない。次に第１の実施の形態における後半の処理フローについて説明する。後半の処理においては、入力した画像を画面に表示するところから、電子メールツール（メーラー）を起動して、その宛先欄に画像に対応した電子メールアドレスを格納するところまでを行い、以下のステップで構成される。」
　
Ｅ　「【００１６】（ステップ２４）選択部１１０で画像を選択する。このとき、選択のためのユーザインタフェースは、例えばカーソルや、マウスポインタなどである。」
　
Ｆ　「【００２２】以上のように第１の実施の形態によれば、画像データを入力するステップと、電子メールアドレスを入力するステップと、ID付与部が画像データの電子メールアドレスに対応したIDを付与するステップと、画像データを第１の記憶部に記憶するステップと、第１の記憶制御部が画像データを格納する領域の先頭アドレス及びデータサイズを第２の記憶制御部に通知するステップと、第１の記憶制御部が第１の記憶部から画像データを読み出すステップと、画像デコーダ部で画像データをデコードするステップと、画面表示制御部でデコード画像を配置及び表示するステップと、選択部で画像を選択するステップと、ID検出部で選択された画像のIDを検出するステップと、第２の記憶制御部が検出されたIDに属するデータ組（電子メールアドレスと画像データの格納領域を示すもの）を抽出し、電子メールアドレス検出部に転送するステップと、電子メールアドレス検出部で電子メールアドレスを検出するステップと、電子メールツール（メーラー）を起動するステップと、電子メール宛先格納部で、電子メールツールの宛先欄に検出した電子メールアドレスを格納するステップを備えることにより、画像をインデックスとする電子メールのアドレス帳を実現し、画像を選択することで、その画像に対応した電子メールアドレスの所有者に対する電子メールを作成することができる。」
　
Ｇ　「【００２３】（実施の形態２）次に、本発明の第２の実施の形態について説明する。第１の実施の形態では、画面上で画像を選択すれば、その画像に対応した電子メールアドレスを電子メールツールの宛先欄に格納したが、第２の実施の形態では、画面上で画像を選択すれば、その画像に対応した電話番号へ電話をかけるようなシステムを実現する。」
　
（ア）上記Ａの「本発明は、画像を利用した電子メール端末技術…（中略）…に関するもの」との記載、上記Ｂの「本発明は上記課題を解決するためになされたものであり、従来電子メールアドレスや電話番号を登録（メモリ）する際に、それらに対応して画像を登録し、画面上で画像を選択することで、それに対応した電子メールアドレス…（中略）…を抽出して、電子メールを送信したり…（中略）…するようなデータ処理方法…（中略）…を提供する」との記載、及びＥの「選択部１１０で画像を選択する。このとき、選択のためのユーザインタフェースは、例えばカーソルや、マウスポインタなどである。」との記載からすると、引用文献には、
　マウスポインタ等を用いて画面上で画像を選択することで、それに対応した電子メールアドレスを抽出して、電子メールを送信するデータ処理方法
が記載されている。
　
（イ）上記Ａの「本発明は、画像を利用した電子メール端末技術…（中略）…に関するもの」との記載、上記Ｃの「画像データと電子メールアドレスを関連付けるID（識別情報）」との記載、上記Ｆの「IDに属するデータ組（電子メールアドレスと画像データの格納領域を示すもの）」との記載、及び上記Ｆの「画像データを読み出すステップと、画像デコーダ部で画像データをデコードするステップと、画面表示制御部でデコード画像を配置及び表示するステップと、選択部で画像を選択するステップと、…（中略）…、電子メールツール（メーラー）を起動するステップ…（中略）…、画像を選択することで、その画像に対応した電子メールアドレスの所有者に対する電子メールを作成することができる。」との記載からすると、引用文献には、
　IDによって電子メールアドレスが関連付けられた画像を表示するステップと、
　表示された画像から利用する画像を選択することで、電子メールツールを起動させるステップ
が記載されている。
　
（ウ）上記Ｃの「１０６は第２の記憶部で、入力された画像データと電子メールアドレスを関連付けるID…（中略）…を記憶するものである。」との記載、上記Ｄの「画像データとそれに対応する電子メールアドレスのデータベースが構成でき、いわゆる画像による電子メールアドレス帳ができる。」、及び上記Ｆの「ID検出部で選択された画像のIDを検出するステップと、…（中略）…検出されたIDに属するデータ組（電子メールアドレスと画像データの格納領域を示すもの）を抽出し…（中略）…電子メールアドレスを検出するステップと、電子メールツール（メーラー）を起動するステップと、…（中略）…電子メールツールの宛先欄に検出した電子メールアドレスを格納するステップ」との記載からすると、引用文献には、
　電子メールツールに格納される電子メールアドレスを、IDによって画像と対応付けてデータベースとして記憶しておき、電子メールツールの起動時に、当該電子メールツールに格納される電子メールアドレスを、選択された画像のIDに基づいて検出するステップ
が記載されている。
　
（エ）上記Ｆの「電子メールツール（メーラー）を起動するステップと、…（中略）…電子メールツールの宛先欄に検出した電子メールアドレスを格納するステップ」との記載、及び前記２つのステップ（すなわち、「電子メールツール（メーラー）を起動するステップ」と「電子メールツールの宛先欄に検出した電子メールアドレスを格納するステップ」）が連続していることから、電子メールツールを起動した直後に電子メールアドレスが格納されるように、電子メールツールの起動が制御されているものと認められる。してみれば、引用文献には、
　起動した直後の電子メールツールの宛先欄に検出した電子メールアドレスを格納するように、電子メールツールの起動を制御するステップ
が記載されている。
　
　よって、（ア）ないし（エ）における記載及びその関連する図面からすると、引用文献には、以下の発明（以下「引用発明」という。）が記載されていると認められる。 
　
　マウスポインタ等を用いて画面上で画像を選択することで、それに対応した電子メールアドレスを抽出して、電子メールを送信するデータ処理方法において、
　IDによって電子メールアドレスが関連付けられた画像を表示するステップと、
　表示された画像から利用する画像を選択することで、電子メールツールを起動させるステップと、
　電子メールツールに格納される電子メールアドレスを、IDによって画像と対応付けてデータベースとして記憶しておき、電子メールツールの起動時に、当該電子メールツールに格納される電子メールアドレスを、選択された画像のIDに基づいて検出するステップと、
　起動した直後の電子メールツールの宛先欄に前記検出した電子メールアドレスを格納するように、電子メールツールの起動を制御するステップと、
を含むデータ処理方法。
　
４．対比 
　
　本願発明と引用発明とを対比する。
　
　引用発明の「電子メールツール」は、本願発明の「アプリケーション」に相当する。そして、引用発明の「電子メールアドレス」は、「電子メールツールの起動時に、当該電子メールツールに格納される」ものであることから、本願発明の「属性のデータ」に相当する。また、引用発明の「画像」は、それを選択することでアプリケーションを起動するキーとなるデータであることから、本願発明の「キーデータ」に相当する。してみれば、引用発明と本願発明は、ともに、“属性のデータが関連付けられたキーデータを表示させ”る点で共通する。
　
　引用発明の「表示された画像から利用する画像を選択することで、電子メールツールを起動させる」とは、選択された画像に基づいて、起動させるツール（電子メールツール）を識別するものである。そして、本願発明の「キーデータの移動先に基づいて、起動させるアプリケーションを識別」するということは、選択されたキーデータに基づいて、起動させるアプリケーションを識別することに他ならない。してみれば、引用発明と本願発明は、ともに、“選択されたキーデータに基づいて、起動させるアプリケーションを識別”する点で共通する。
　
　引用発明の「データベース」は、電子メールツールに格納される電子メールアドレスを、画像のIDと対応付けて管理しているものである。そして、電子メールツールに電子メールアドレスを格納することは、電子メールツールに電子メールアドレスを与えて格納することに他ならない。してみれば、引用発明と本願発明は、ともに、“アプリケーションに与える属性のデータを管理”する点で共通する。
　また、引用発明の「電子メールツールに格納される電子メールアドレス」及び「検出」は、本願発明の「アプリケーションに与えるデータ」及び「取得」に相当する。そして、引用発明の「電子メールツールの起動時に、当該電子メールツールに格納される電子メールアドレスを、選択された画像のIDに基づいて検出」において、選択された画像のIDに基づいて電子メールアドレスを検出するということは、画像のIDに関連付けられて管理されている電子メールアドレスから検出することに他ならない。してみれば、引用発明と本願発明は、ともに、“アプリケーションの起動時にそのアプリケーションに与えるデータを、キーデータに関連付けられて管理されている属性のデータから取得”する点で共通する。
　
　引用発明の「起動した直後の電子メールツールの宛先欄に前記検出した電子メールアドレスを格納する」において、起動した直後の電子メールツールの宛先欄に電子メールアドレスを格納するということは、電子メールツールを起動した直後の画面上の宛先欄に、電子メールアドレスが表示されることに他ならない。してみれば、引用発明と本願発明は、ともに、“起動した直後に表示される画面に、取得したデータに基づく表示が予め行われるように、アプリケーションの起動を制御する”点で共通する。
　
　そして、引用発明の「データ処理方法」は、本願発明の「情報処理方法」に相当する。
　
　以上から、本願発明と引用発明とは、以下の点で一致し、また、以下の点で相違する。
　
（一致点）
　
　属性のデータが関連付けられたキーデータを表示させ、
　選択されたキーデータに基づいて、起動させるアプリケーションを識別し、
　アプリケーションに与える属性のデータを管理し、アプリケーションの起動時にそのアプリケーションに与えるデータを、キーデータに関連付けられて管理されている属性のデータから取得し、
　起動した直後に表示される画面に、取得したデータに基づく表示が予め行われるように、アプリケーションの起動を制御する
　ステップを含む情報処理方法。
　
（相違点１）
　アプリケーションに与える属性のデータにおいて、本願発明が、「複数の属性のデータ」であるのに対して、引用発明は、「電子メールアドレス」のみが明記されている点。　
　
（相違点２）
　
　アプリケーションの起動において、本願発明が、「キーデータが移動されたとき、前記キーデータの移動先に基づいて、」「アプリケーションを」「起動させる」ものであるのに対して、引用発明は、「表示されたデコード画像から利用する画像を選択することで、電子メールツールを起動させる」ものである点。
　
（相違点３）
　
　アプリケーションに与えるデータの管理及び取得において、本願発明が、「それぞれのアプリケーションと、それぞれのアプリケーションに与えるデータの属性との対応を表す情報を管理し、管理している前記情報により表される属性のデータを取得する」ものであるのに対して、引用発明は、「電子メールツールに格納される電子メールアドレスを、IDによって画像と対応付けてデータベースとして記憶しておき、」「選択された画像のIDに基づいて」「電子メールアドレスを」「検出する」ものである点。
　
５．判断
　
　相違点１ないし相違点３について検討する。
　
（１）相違点１及び相違点３について
　
　マウス等を用いて、ファイルを表すアイコンをドラッグして、表示画面上に表示される実行プログラムを表す複数の起動アイコンのいずれかに重ね合わせてドロップすることによって、複数処理の起動を制御する技術は、周知の技術（以下、「周知技術１」という。）である。
（例えば、特開２０００−２２７８２８号公報には、
「【０００１】
【発明の属する技術分野】本発明は、アイコンのドラッグアンドドロップにより所定の処理を行うグラフィカル・ユーザ・インターフェイスを備えた情報処理システムの技術分野に属し、更に詳しくは表示装置、入力装置、必要に応じて外部機器が接続されて構成される情報処理システムに関するものである。」、
「【０００３】また、上記グラフィカル・ユーザ・インターフェイスにおいて、入力を行うマウス等のポインティングデバイスを用いて、表示画面に表示されているファイルを表わすアイコンを、例えば前記ファイルを処理する実行プログラムを表わすアイコンや、ファイルの集合を表わすアイコンにまでドラッグすることにより、前記ファイルを用いた情報処理を行ったり、ファイル格納場所を変更するといった操作方法、ユーザインターフェイスが知られており、特表平８−５１１６３７号公報にその開示がある。」、
「【００３１】対象アイコン５は、ポインタ１１によって移動可能…（中略）…。起動アイコン６は、表示画面上の任意の位置に表示されており、対象アイコン５をドラッグして起動アイコン６に重ね合わせる。…（後略）」、
「【００３２】ドロップ操作により、対象アイコン５が起動アイコン６と重なる位置で固定されると、制御部３は、対象アイコンが示す又は対応付けられている文書データの情報をデータ部より取出し、起動アイコン６が示すプリンタへ前記文書データを出力する。」、
「【００３９】また図５に示しているように、起動アイコン６を複数のアイコンの集合体（６ａ〜６ｄ）としても良い。…（後略）」、
「【００４１】更に複数のアイコンの集合体として、図７に示しているような構成を挙げることができる。…（中略）…、当該起動アイコン６は、例えば左右に細長い形状のアイコン６ｅ〜６ｉが５つ組み合わされており、各アイコン６ｅ〜６ｉがそれぞれ物体１の処理２１〜物体５の処理２５に対応している。…（後略）」と記載されている。
　なお、ファイルを画面上に表示されている複数のアプリケーションプログラムにドラッグアンドドロップすることで、選択的にアプリケーションプログラムの起動を行う技術についても、周知の技術（必要であれば、特開２００２−１５７１３５号公報（特に、段落【００３６】ないし【００４０】、及び第４図）参照）にすぎない。）
　
　そして、上記「３．引用文献」のＢに「本発明は…（中略）…、従来電子メールアドレスや電話番号を登録（メモリ）する際に、それらに対応して画像を登録し、画面上で画像を選択することで、それに対応した電子メールアドレスや電話番号を抽出して、電子メールを送信したり、電話をかけたりするようなデータ処理方法及びデータ処理装置を提供することを目的とする。」と記載されるように、引用発明は、画面上で画像を選択することで、それに対応した電子メールアドレスや電話番号を抽出して、電子メールを送信したり、電話をかけたりすることを目的とするものであり、出願時において、携帯情報端末の画面上に表示される複数のアプリケーションから選択的にアプリケーションの起動を行うことが、技術常識的事項であったことを参酌すると、引用発明においても、前記周知技術１を適用することで、画面上に電子メールツールを起動するアイコンと、電話をかけるツールを起動するアイコンを表示させ、選択した画像をこれらのアイコンにドラッグアンドドロップすることで、電子メールツールの起動と電話をかけるツールの起動を選択的に行うことができるように構成し、その際、画像のIDに関連付けて、それぞれのツールに格納される複数の属性のデータ（電子メールツールの起動時に格納する電子メールアドレスと電話をかけるツールの起動時に格納する電話番号）を管理するように構成すること、すなわち、アプリケーションに与える属性のデータにおいて、“複数の属性のデータ（電子メールアドレスと電話番号）”を有するように構成し、アプリケーションに与えるデータの管理及び取得において、“それぞれのツール（電子メールツールと電話をかけるツール）と、それぞれのツールに格納する電子メールアドレスと電話番号との対応を表すデータベースを管理し、（選択された画像のIDに基づいて）管理しているデータベースに記憶されている電子メールアドレスと電話番号を検出する”ように構成することは、当業者であれば、容易に想到し得たことである。
　
　よって、相違点１及び相違点３は格別のものではない。
　
（２）相違点２について
　
　引用発明においても、マウスポインタ等を用いて画像を選択するものであるから、引用発明におけるアプリケーションの起動においても、前記周知技術１を適用することで、「マウスポインタ等を用いて表示された画像から利用する画像を選択することで、電子メールツールを起動する」方法に替えて、マウス等を用いて、選択された画像を電子メールツールを表すアイコンまでドラッグにより移動させることによって、電子メールツールを起動させるように構成すること、すなわち、“画像が移動されたとき、前記画像の移動先に基づいて、電子メールツールを起動させる”ように構成することは、当業者であれば、容易に想到し得たことである。
　
　よって、相違点２は格別なものではない。
　
　上記で検討したごとく、相違点１ないし相違点３は格別のものではなく、そして、本願発明の構成によってもたらされる効果も、当業者であれば当然に予測可能なものに過ぎず格別なものとは認められない。 
　
　したがって、本願発明は、引用発明及び周知技術に基づいて、容易に発明できたものである。
　
６．むすび 
　
　以上のとおり、本願の請求項５に係る発明は、本願の特許出願前に日本国内又は外国において頒布された刊行物に記載された発明又は電気通信回線を通じて公衆に利用可能となった発明に基づいて、その出願前にその発明の属する技術の分野における通常の知識を有する者が容易に発明をすることができたものであるから、特許法第２９条第２項の規定により特許を受けることができない。
　
　したがって、その余の請求項について論及するまでもなく、本願は拒絶すべきものである。
　
　よって、結論のとおり審決する。